(57)【特許請求の範囲】
【請求項１】
成型プラスチック基部（１１）及びカバー（１３）と、
前記カバー内にあって、遮断器接点を閉路位置へ移動させるための遮断器閉路ばね（２０）と、
前記カバー内にあって、前記閉路ばねを解放する様に配置されたアクチュエータ・レバー（２６）と、
前記カバー内にあって、前記閉路ばねを解放する為の遠隔信号を受取った時に前記アクチュエータ・レバーと相互作用する遠隔閉路集成体（２４）であって、該閉路集成体が、前記アクチュエータ・レバー及び閉路ソレノイド（３３）と相互作用して、前記アクチュエータ・レバーを解放位置へ移動させる閉路レバー（４３）を備えている、前記遠隔閉路集成体（２４）と、
前記閉路ばねが解放された時、前記閉路レバー及び保持ソレノイド（４４）と相互作用して前記閉路ソレノイドを電気的に遮断するスイッチ・アクチュエータ・レバー（５５）と
を有することを特徴とする遮断器。
【請求項２】
前記保持ソレノイドと接続されていて、前記閉路ばねが解放された時に前記保持ソレノイドと電気的に接続する第２のスイッチ（４６）を有する請求項１記載の遮断器。
【請求項３】
前記閉路レバーに設けられた第１のばね（３８）を有し、該第１のばねは、前記閉路レバーの頂部（４１）に接触すると共に、前記アクチュエータ・レバーの一端から伸びる突片（２２）に接触する様に配置された第１のばね脚部（３９）を有する請求項１記載の遮断器。
【請求項４】
前記閉路レバーに設けられた第２のばね（４９）を有し、該第２のばねは前記スイッチ・アクチュエータ・レバーの突片（５８）に接触する第２のばね脚部（５０）を有する請求項３記載の遮断器。
【請求項５】
前記保持ソレノイドが、前記スイッチ・アクチュエータ・レバーの前記突片（５８）に接続された保持プランジャ（４５）を有し、前記スイッチ・アクチュエータ・レバーの前記突片（５８）は、前記閉路ソレノイドが電気的に付勢された時に、前記プランジャを駆動する請求項４記載の遮断器。
【請求項６】
前記第１及び第２のばねがコイルばねで構成されている請求項４記載の遮断器。
【請求項７】
前記閉路レバー及び前記スイッチ・アクチュエータ・レバーが共通の棒（５２）によって枢着されている請求項１記載の遮断器。
【請求項８】
遮断器遠隔閉路ばねの作動装置であって、
遮断器アクチュエータ・レバー及び閉路ソレノイド（３３）と相互作用して、前記アクチュエータ・レバーを解放位置へ移動させる閉路レバー（４３）と、
前記遮断器遠隔閉路ばねが解放された時、前記閉路レバー及び保持ソレノイド（４４）と相互作用して、前記閉路ソレノイドを電気的に遮断するスイッチ・アクチュエータ・レバー（５５）と、
遠隔信号を受取った時に前記閉路ソレノイドを電気的に付勢する第１のスイッチ（３５）と、
前記保持ソレノイドに接続されていて、前記閉路ばねが解放された時に前記保持ソレノイドを電気的に接続する第２のスイッチ（４６）と、
を有することを特徴とする遮断器遠隔閉路ばね作動装置。
【請求項９】
前記閉路レバー上に設けられ、該閉路レバーの頂部（４１）に接触すると共に、前記アクチュエータ・レバーの一端から伸びる突片（２２）に接触する様に配置された第１のばね脚部（３９）を持つ第１のばね（３８）と、前記閉路レバー上に設けられ、前記スイッチ・アクチュエータ・レバーの突片（５８）に接触する第２のばね脚部（５０）を持つ第２のばね（４９）とを有する請求項８記載の遮断器遠隔閉路ばね作動装置。
【請求項１０】
前記保持ソレノイドが、前記スイッチ・アクチュエータ・レバーの前記突片（５８）に接続された保持プランジャ（４５）を含み、前記スイッチ・アクチュエータ・レバーの前記突片（５８）は、前記閉路ソレノイドが電気的に付勢された時、前記プランジャを駆動する請求項９記載の遮断器遠隔閉路ばね作動装置。
【請求項１１】
前記第１及び第２のばねがコイルばねで構成されている請求項９記載の遮断器遠隔閉路ばね作動装置。
【請求項１２】
前記閉路レバー及び前記スイッチ・アクチュエータ・レバーが共通の棒（５２）によって枢着されている請求項１１記載の遮断器遠隔閉路ばね作動装置。
【発明の詳細な説明】
【０００１】
【発明の分野】
本発明は遮断器の遠隔閉路作動装置に関する。
【０００２】
【発明の背景】
米国特許第４，００１，７４２号、発明の名称「改良された作動機構を持つ遮断器」には、数百ボルトの電位で数千アンペアの回路電流を遮断することが出来る遮断器が記載されている。その特許に記載されているが、作動機構が、遮断器接点を開閉する強力な作動ばねを制御する。一旦作動機構が応答して接点を離した時、接点を担持する可動接点アームに十分な動力を供給する為に、作動ばねを再びチャージしなければならない。
【０００３】
１９９４年３月１８日出願の米国特許出願番号第０８／２１４，５２２号、発明の名称「アンペア定格の高い遮断器に対する把手作動集成体」には、遮断器接点閉路ばねを手動でチャージするための集成体が記載されている。
１９９４年３月２８日出願の米国特許出願番号第０８／２１８，２８７号、発明の名称「アンペア定格の高い遮断器に対する係止装置」には、強力な作動機構ばねを、遮断器接点を閉路位置へ駆動しない様に抑えるのに使われるラッチ装置が記載されている。
【０００４】
１９９４年６月２７日出願の米国特許出願番号第０８／２６５，８７７号、発明の名称「アンペア定格の高い遮断器に対する把手連動装置」には、遮断器操作把手が完全に後退した位置に来るまで、遮断器接点閉路ばねを拘束することが記載されている。
１９９４年９月９日出願の米国特許出願番号第０８／３０４，３３１号、発明の名称「アンペア定格の高い遮断器に対する確実チャージ表示装置」には、閉路ばねが一杯にチャージされるまでは、チャージ表示フラグが合図を出すことを防止する様に、論理板及び論理レバーによって遮断器チャージばね表示フラグをインターロックすることが記載されている。
【０００５】
１９９４年６月２７日出願の米国特許出願番号第０８／２６６，４０９号、発明の名称「高定格の遮断器に対する逐次閉路インターロック装置」には、遮断器閉路ボタンの作動を防止する為の、閉路リンクと遮断器接点閉路ばねとの間の相互作用が記載されている。
遮断器を遮断器包囲体から離れた所から作動する時、保持ソレノイド、閉路ソレノイド等の様な装置を使って、遮断器接点閉路ばねを解放する。こう云う装置が米国特許第４，３０１，４３３号及び同第４，３０１，４３４号に記載されている。しかし、この様なアンペア定格の高い遮断器内に使われる強力な接点閉路ばねでは、遠隔閉路装置自体が、閉路ソレノイドが連続的に付勢される時、遠隔閉路ソレノイドを損傷から保護することが出来ない。
【０００６】
【発明の目的】
本発明の１つの目的は、閉路ソレノイドを損傷することなく、繰り返される閉路の試みに耐えることの出来る、現場で取付けられる遠隔遮断器接点閉路作動装置を提供することである。
【０００７】
【発明の概要】
遮断器接点を閉じるように遮断器作動機構を遠隔作動するための遠隔閉路作動装置が遮断器包囲体の中に配置される。接点閉路ばねの状態を制御するために、１対の第１及び第２のソレノイドが用いられる。第１のソレノイドが付勢されると、最初に接点閉路ばねを解放し、第２のソレノイドが付勢されると、第１のソレノイドを連続的に付勢しようとするそれ以上の試みを防止する。向かい合って配置された１対の捩りばねが１対のマイクロスイッチと相互作用して、接点閉路ばねが解放された直後に第１のソレノイドがターンオフされ且つ第２のソレノイドがターンオンされる様に保証する。
【０００８】
【好ましい実施例の説明】
図１に示すアンペア定格の高い遮断器１０は、数百ボルトの電位で数千アンペアの休止回路電流を切換えることが出来る。遮断器は電気絶縁された基部１１を持ち、やはり電気絶縁材料で構成された上側カバー１３を取付ける前に、この基部に同じ様な絶縁材料の中間カバー１２が取付けられる。内部の通電部品との電気接続は、基部の片側から伸びる負荷端子ストラップ１９及び反対側から伸びる線路端子ストラップ（図に示してない）によって行われる。内部部品が、上側カバー１３の上面の凹部１４内に収容された電子式引外し装置によって制御される。引外し装置は、米国特許第４，６５８，３２３号に記載されているものと同様であって、更に付属機器用凹部１５内にある付属機器と相互作用して、例えば米国特許第４，８０１，９０７号に記載されている様なある範囲の保護及び制御機能をする。１９９４年３月２８日出願の米国特許出願番号第０８／２０３，０６２号、発明の名称「アンペア定格の高い遮断器に対する定格モジュール装置」に記載されている様な作動機構が閉路軸２５を持ち、これが強力な作動機構の接点閉路ばね２０をチャージするのに必要な力を供給する。操作把手１６は遮断器作動機構を手動で作動することが出来る様にする。作動機構の部品が作動機構側枠２１に取付けられ、閉路軸２５及び駆動軸６５が、前に引用した幾つかの米国特許出願に記載されている様に、この側枠を通抜ける。遮断器接点（図に示してない）が開路ボタン１８によって開かれ、「開」表示フラグがアクセス溝孔１８Ａの下に見える。遮断器接点は閉路ボタン１７によって閉じられ、「閉」表示フラグがアクセス溝孔１７Ａの下に見える。本発明では、遠隔接点閉路ばね集成体２４が側枠２１に取付けられて、側枠内の溝孔２３を通抜けるアクチュエータ突片２２と相互作用し、遮断器作動機構の側枠２１を駆動軸６５の隣に取付ける前及び後に、図２及び３に示される遠隔接点閉路集成体２４を参照すれば判る様に、閉路ボタン１７に相互接続される。
【０００９】
閉路ボタン１７は、図示の様に、平行なアーム２７及び垂直アーム２８で構成されたアクチュエータ・レバー２６により、アクチュエータ突片２２に接続される。閉路ソレノイド３３が支持体２９の底３０の上に配置され、且つプランジャ３４の突片６０及び駆動リンク５９の通抜けの孔５９Ａにピン６１を通すことによってプランジャ３４が駆動リンク５９に接続される。保持ソレノイド４４が閉路ソレノイド３３の隣りでＵ字形支持体２９上に位置ぎめされ、プランジャ４５がＵ字形のスイッチ・アクチュエータ・レバー５５の脇アーム５６上に配置された突片５８を通抜ける。棒５２が、コイルばね３８及び４９、スイッチ・アクチュエータ・レバー５５の脇アーム５６及び５７に設けた開口５６Ａ及び５７Ａ、並びに閉路レバー４３の脇アーム５３及び５４に設けた開口５３Ａ及び５４Ａを通る様に位置ぎめされ、これにより、閉路レバー４３がスイッチ・アクチュエータ・レバー５５上に位置ぎめされる。ばね３８の可動の脚３９が、閉路レバー４３の頂部４２内に形成された溝孔４１内に入る様に位置ぎめされて、アクチュエータ突片２２と干渉し合う様に伸びており、これに対して不動の脚４０は閉路レバー４３の溝孔４２Ａ内に捕捉されている。ばね４９の可動の脚５０が、プランジャ４５と相互作用させるために、脚５３の縁５３Ｂに当たるように位置ぎめされ、これに対してばね４９の不動の脚５１は閉路レバー４３の頂部４２内にある別個の溝孔４２Ａ内に位置ぎめされる。引張りコイルばね６２が駆動リンク５９のピン５９Ｂと支持体２９の底３０の縁３０Ａとの間に接続され、以下に図２、図４及び図５を参照して説明する様に、プランジャ３４を定位置へ復帰させる。１対のマイクロスイッチ３５、４６が支持体２９の側面３２の延長部３２Ａに取付けられ、スイッチ・アクチュエータ・レバー５５の横部材６７がスイッチ・レバー３７、４８と夫々相互作用する様に位置ぎめされる。多芯ケーブル６６がスイッチを閉路ソレノイド、保持ソレノイド４４並びに遠隔閉路スイッチ（図に示してない）と接続する。
【００１０】
駆動軸６５の隣りで遮断器作動機構の側枠２１上に配置された遠隔閉路作動装置２４が図４に示されており、図４では遮断器接点閉路ばねがチャージされていて、前に述べた遠隔閉路スイッチが作動される前の状態にある。アクチュエータ突片２２は溝孔２３の左の端にあって、ばね３８の可動の脚３９の端に接近している。閉路ソレノイド３３及び保持ソレノイド４４は、関連したプランジャ３４及び４５と閉路レバー４３と駆動リンク５９との間の位置関係を示す為に、破線並びに鎖線で示してある。スイッチ３５及び４６は夫々常閉及び常開のスイッチであり、それらの関連したレバー３７及び４８がスイッチ・アクチュエータ・レバー５５の端にある突片５５Ａと相互作用する様に配置されている。スイッチ３５は閉路ソレノイド３３に接続されていて、遠隔閉路ボタンが作動されて閉路ソレノイドに作動用の電力を供給する時、閉路ソレノイドを作動してプランジャ３４を引き込ませる。スイッチ４６は保持ソレノイド４４に接続されていて、図４及び５に示す様に、遠隔閉路ボタン・スイッチを作動した時、保持ソレノイドを作動する。遠隔閉路スイッチを作動すると、作動用の電力がスイッチ３５を介して閉路ソレノイド３３に供給されて、プランジャ３４を図示の方向に引き込み、これにより閉路レバー４３を時計廻りに回転させて、バネ３８の可動の脚３９を図示のようにアクチュエータ突片２２に当てる様に駆動し、もって接点閉路ばねを解放する。ばね４９の可動の脚５０が、プランジャ４５の端で突片５８に当たって、プランジャ４５を保持磁石６８に対して動かすと同時に、スイッチ・アクチュエータ・レバーの突片５５Ａをレバー３７及び４８に当たる様に回転させて、閉路ソレノイド３３を電気的に遮断し、同時に保持ソレノイド４４を電気的に接続する。遠隔閉路スイッチが付勢されたまゝでいる限り、遠隔閉路作動装置２４は図５に示す状態にあって、閉路ソレノイドの損傷を防止する。遠隔閉路スイッチが脱勢されるや否や、スイッチ・アクチュエータがリセットばね６２の作用で、図４に示す定位置に復帰する。
【図面の簡単な説明】
【図１】本発明による遠隔接点閉路集成体を示す為に、遮断器カバーの一部分を取り除いたアンペア定格の大きい遮断器を上から見た斜視図。
【図２】図１の遠隔閉路集成体を上から見た分解斜視図。
【図３】図１の遠隔接点閉路集成体を上から見た拡大斜視図。
【図４】遮断器接点が開路状態にある場合の、図１の遠隔接点閉路集成体の一部分を断面で示した拡大側面図。
【図５】遮断器接点が閉路状態にある場合の、図１の遠隔閉路集成体の一部分を断面で示した拡大側面図。
【符号の説明】
１１    基部
１３    上側カバー
２０    接点閉路ばね
２２    アクチュエータ突片
２４    遠隔接点閉路ばね集成体
２６    レバー
２９    支持体
３３    閉路ソレノイド
３５    マイクロスイッチ
３８    コイルばね
３９    可動の脚
４３    閉路レバー
４４    保持ソレノイド
４５    プランジャ
４６    マイクロスイッチ
４９    コイルばね
５０    可動の脚
５２    棒
５５    スイッチ・アクチュエータ・レバー
５９    駆動リン
【図１】
0003934696.tif 000002
【図２】
0003934696.tif 000003
【図３】
0003934696.tif 000004
【図４】
0003934696.tif 000005
【図５】
0003934696.tif 000006